(57)【特許請求の範囲】
【請求項１】
シート材を折り曲げて一部を接合することで構成され、平坦に折り畳まれた平坦状態と、少なくとも一部を立体化した組立状態と、に変化する包装容器であって、
組立状態において立体化され、物品が収容される収容空間を形成する本体部と、
本体部の上側に位置し、接合されることなく折り重なった二枚のシート片からなる挟持部と、
前記本体部および挟持部の左右方向の一端に連接され、組立状態においても平坦なサイド部であって、折り重なった二枚のシート片が接合されてなるサイド部と、
を備え、前記本体部は、
接合されることなく重なった二枚のシート片を互いに離間する方向に広げて立体化することで物品が挿入される筒形状を構成する筒部と、
組立状態において、前記筒部の上端開口を覆う蓋フラップと、
前記蓋フラップの端部に連接され、組立状態において、前記挟持部を構成する二枚のシート片の間に差し込まれる差込部と、
備え、
前記挟持部を構成する二枚のシート片は、
前記筒部の上端から上方に延びるとともに、左右方向の一端が前記サイド部に連接されたシート片からなる立壁と、
切込線を介して前記筒部と区分されるとともに、左右方向の一端が前記サイド部に連接されたシート片からなり、前記サイド部との連接部分を固定端として立壁に対して可動な可動壁と、
であることを特徴とする包装容器。
【請求項２】
請求項１に記載の包装容器であって、
前記差込部は、前記シート材を折り曲げる前の展開状態において、前記立壁に隣接するとともに、切込線により前記立壁と区分された領域のシート片からなる、ことを特徴とする包装容器。
【請求項３】
請求項１または２に記載の包装容器であって、
前記筒部を構成する二枚のシート片は、
折り曲げ線を介することなく前記サイド部に連接されたシート片からなる背壁と、
前記背壁に折り重なるシート片であって、折り曲げ線を介して前記背壁に連接されるとともに、折り曲げ線を介して前記サイド部に連接されたシート片からなる前壁と、
であり、組立状態において、前記背壁および前壁は互いに離間する方向に弧状に湾曲させられる、
ことを特徴とする包装容器。
【請求項４】
請求項１から３のいずれか１項に記載の包装容器であって、
前記物品は、底部に隙間が生じる箱状であり、
前記本体部は、さらに、前記隙間に差し込まれて前記物品と係合する底フラップを備える、
ことを特徴とする包装容器。
【発明の詳細な説明】
【技術分野】
【０００１】
本発明は、シート材を折り曲げて一部を接合することで構成される包装容器であって、平坦に折り畳まれた平坦状態と、少なくとも一部を立体化した組立状態と、に変化する包装容器に関する。
【背景技術】
【０００２】
従来から、シート材を折り曲げて一部を接合し、さらに、この折り曲げられたシート材の一部を立体化することで物品を収容する収容空間を形成した包装容器が広く知られている。
【０００３】
例えば、特許文献１には、一枚のシート材からなり、連接した二側面と、この二つの側面の両側にそれぞれ連接され、お互いに対面する糊付け片とを有する包装容器が開示されている。この包装容器には、一つの側面の一端に設けられこの側面に重ねられる折返片と、この折返片の端縁部に連接して形成された底蓋片と、上記側面と連接するもう一方の側面の一端に設けられこの側面に重ねられる折返片とこの折返片の端縁部に連接して形成された保持片が設けられている。
【０００４】
こうしたシート材を折り曲げて形成される包装容器は、包装容器の全面に印刷を施すことができたり、物品収容前の搬送時や物品を取り出した後の廃棄時には平坦に折り畳んで小型化できたりといった利点が知られている。
【先行技術文献】
【特許文献】
【０００５】
【特許文献１】特開平１０−１８１７３６号公報
【発明の概要】
【発明が解決しようとする課題】
【０００６】
しかしながら、従来のシート材からなる包装容器の多くは、物品の不正な取り出しを防止するタンパープルーフ機能が不十分という問題があった。例えば、特許文献１記載の包装容器では、物品を収容する空間の上端は開口されたままとなっているため、比較的簡単に物品を取り出すことができる。
【０００７】
もちろん、従来のシート材からなる包装容器の中には、蓋部分を備えたものもある。しかし、従来の包装容器に設けられた蓋の多くは、物品収容空間を構成する本体部の上端開口を覆う蓋フラップと、当該蓋フラップの周囲から延設する差込片と、から構成されている。そして、蓋をする際には、この差込片を、本体部の側壁と物品との間に差し込むようになっている。かかる構成の場合、蓋フラップ部を上側に持ち上げるだけで簡易に蓋を開けることができ、結果として、簡易に物品を取り出すことができる。つまり、従来、十分なタンパープルーフ機能を備えたシート材からなる包装容器はなかった。
【０００８】
そこで、本発明では、十分なタンパープルーフ機能を備えたシート材からなる包装容器を提供することを目的とする。
【課題を解決するための手段】
【０００９】
本発明の包装容器は、シート材を折り曲げて一部を接合することで構成され、平坦に折り畳まれた平坦状態と、少なくとも一部を立体化した組立状態と、に変化する包装容器であって、組立状態において立体化され、物品が収容される収容空間を形成する本体部と、本体部の上側に位置し、接合されることなく折り重なった二枚のシート片からなる挟持部と、前記本体部および挟持部の左右方向の一端に連接され、組立状態においても平坦なサイド部であって、折り重なった二枚のシート片が接合されてなるサイド部と、を備え、前記本体部は、接合されることなく重なった二枚のシート片を互いに離間する方向に広げて立体化することで物品が挿入される筒形状を構成する筒部と、組立状態において、前記筒部の上端開口を覆う蓋フラップと、前記蓋フラップの端部に連接され、組立状態において、前記挟持部を構成する二枚のシート片の間に差し込まれる差込部と、を備え、前記挟持部を構成する二枚のシート片は、前記筒部の上端から上方に延びるとともに、左右方向の一端が前記サイド部に連接されたシート片からなる立壁と、切込線を介して前記筒部と区分されるとともに、左右方向の一端が前記サイド部に連接されたシート片からなり、前記サイド部との連接部分を固定端として立壁に対して可動な可動壁と、である、ことを特徴とする。
【００１０】
好適な態様では、前記差込部は、前記シート材を折り曲げる前の展開状態において、前記立壁に隣接するとともに、切込線により前記立壁と区分された領域のシート片からなる、ことも望ましい。
【００１１】
他の好適な態様では、前記筒部を構成する二枚のシート片は、折り曲げ線を介することなく前記サイド部に連接されたシート片からなる背壁と、前記背壁に折り重なるシート片であって、折り曲げ線を介して前記背壁に連接されるとともに、折り曲げ線を介して前記サイド部に連接されたシート片からなる前壁と、であり、組立状態において、前記背壁および前壁は互いに離間する方向に弧状に湾曲させられる。他の好適な態様では、前記物品は、底部に隙間が生じる箱状であり、前記本体部は、さらに、前記隙間に差し込まれて前記物品と係合する底フラップを備える。
【発明の効果】
【００１２】
本発明によれば、蓋フラップを持ち上げる際に、蓋フラップが挟持部と干渉するため、不正な開封、ひいては、物品の不正な取り出しが効果的に防止される。
【図面の簡単な説明】
【００１３】
【図１】第一実施形態の包装容器の斜視図である。
【図２】第一実施形態の包装容器の上部斜視図である。
【図３】第一実施形態の包装容器の横断面図である。
【図４】第一実施形態の包装容器の展開図である。
【図５】第二実施形態の包装容器の上部斜視図である。
【図６】第二実施形態の包装容器の上部斜視図である。
【図７】第二実施形態の包装容器の下部斜視図である。
【図８】第二実施形態の包装容器の展開図である。
【発明を実施するための形態】
【００１４】
以下、本発明の実施形態について図面を参照して説明する。図１は、本発明の第一実施形態である包装容器１０の斜視図である。また、図２は包装容器１０の上部斜視図、図３は包装容器１０の横断面図、図４は包装容器１０の展開図である。
【００１５】
なお、以下の図面では、見易さのために、斜視図と展開図との間で、寸法比や形状を異ならせている。また、以下の図面において、砂目ハッチングを施した幾何学形状部分は、接着剤または粘着剤の塗布部分を示しており、互いに接合される箇所には同一形状で白抜きの幾何学形状を図示している。また、以下の説明において「シート片」とは、シート材の一部分の領域を指すものとする。
【００１６】
この包装容器１０は、一枚のシート材を折り曲げるとともに一部を接合することで形成される容器であって、適宜、折り曲げられて立体化されることにより物品が収容可能な自立容器となる。図１〜４に示す包装容器１０は、略円筒形の物品の収容に、特に好適な構成を有している。以下、物品の形状が略円筒形である場合を例に挙げて、この包装容器１０の構成について詳説する。
【００１７】
包装容器１０を構成するシート材は、立体形状を維持できる程度の強度を有するものであれば特に限定されない。したがって、例えば、合成樹脂シート、紙と合成樹脂シートの積層シート、紙又は合成樹脂シートと金属箔の積層シートなどを用いることができる。合成樹脂シートの樹脂材料は特に限定されず、ポリプロピレンやポリエチレンなどのポリオレフィン系、ポリスチレン系、ポリエステル系などの汎用樹脂が例示される。
【００１８】
シート材の表面または裏面には、各種印刷を施してもいい。印刷される内容としては、例えば、包装容器１０に収容される物品（商品）の商品名や商品イメージ、使用イメージ、原材料などの商品説明文などが挙げられる。ここで、このシート材は、平坦であり、この後、折り曲げることで立体化させられる。したがって、プラスチックをバキュームフォームすることで立体化させるブリスター容器などと異なり、本包装容器１０においては、シート材（ひいては包装容器１０）の全面に印刷を施すことができる。その結果、ブリスター容器などと比べて、印刷面積を大幅に増やすことができ、商品としての美観の多様性を高めることができる。
【００１９】
包装容器１０は、１枚のシート材を、図４に図示する展開図の外形線に沿って打ち抜いた後、適宜、折り曲げ、一部を接合することで形成される。したがって、後述する本体部１２、サイド部１４、挟持部１６などの包装容器１０の構成要素は、全て、一体形成されていることになる。また、シート材には、折り曲げ作業を容易にするために、予め、押罫や、切罫、ミシン罫、リード罫などからなる折り曲げ線Ｌ１〜Ｌ４が形成されている。
【００２０】
図４に示された一枚のシート材は、第一折り曲げ線Ｌ１に沿って二つ折りにされ、組立状態において、前面側に位置するシート片と、背面側に位置するシート片と、に区分される。なお、本説明では、図１において手前側を「前面側」とし、奥側を「背面側」としている。しかし、ここでいう「前面側」、「背面側」は、あくまで、説明上の名称であり、実際の製品としての前面・背面とは無関係であってもよい。
【００２１】
この二つ折りにされたシート材のうち、砂目ハッチングを施した幾何学形状部分には、接着剤または粘着剤が塗布されており、同一形状で白抜きの幾何学形状部分と接合される。その後、一部を立体化することで、包装容器１０は、図１、図２に示すような形状となる。
【００２２】
この包装容器１０は、物品を収容する本体部１２、当該本体部１２の上側に位置する挟持部１６、本体部１２および挟持部１６の右側端部に連接されて横方向に張り出すサイド部１４に大別される。
【００２３】
サイド部１４は、折り重なった二枚のシート片（前面側シート片および背面側シート片）を接合することで構成される部位で、包装容器１０を立体化させた組立状態においても平坦な部位である。このサイド部１４は、シート材を糊付けする糊付け片として機能するだけでなく、種々の印刷を行う印刷面としても機能する。したがって、かかるサイド部１４を設けることにより、包装容器１０の表面積、ひいては、印刷面積を増加させることができ、商品としてのデザインの幅を広げることができる。
【００２４】
サイド部１４の左側端部には、本体部１２および挟持部１６が連接されている。本体部１２は、物品を収容する部位で、物品が差し込まれる略筒状の筒部２０、当該筒部２０の上端開口を覆う蓋フラップ２２、当該蓋フラップ２２に繋がった差込部２４、および、筒部２０の下端開口を覆う底フラップ２６（図１〜図３では見えず。図４参照）から構成されている。
【００２５】
筒部２０は、前面側シート片の一部である前壁２０ｆおよび背面側シート片の一部である背壁２０ｂから構成される。この前壁２０ｆおよび背壁２０ｂは、平坦状態においては、互いに接合されることなく重なっている。組立状態にする際には、この重なった前壁２０ｆおよび背壁２０ｂを互いに離間する方向に湾曲させる。この湾曲により、前壁２０ｆと背壁２０ｂで囲まれた略レモン形状の収容空間が形成される。この湾曲させられた前壁２０ｆおよび背壁２０ｂは、シート材が本来もつ弾性により、バネのように機能し、前壁２０ｆおよび背壁２０ｂの間に挿入された円筒形の物品の側面を押さえることができる。この押さえる力により、物品の転動が効果的に抑えられ、包装容器１０に対する物品の位置・姿勢を好適に保つことができる。
【００２６】
ここで、本実施形態において、前壁２０ｆは、第二折り曲げ線Ｌ２を介してサイド部１４に連接されており、組立状態にする際には、当該第二折り曲げ線Ｌ２に沿ってシート材が折り曲げられる。一方で、背壁２０ｂは、折り曲げ線を介することなくサイド部１４に連接している。その結果、真上から見た場合に、図４に示すように、レモン形の筒部２０の長軸Ｃが、サイド部１４に対して傾き、筒部２０の大部分がサイド部１４より前面側に突出したような形状となる。
【００２７】
背壁２０ｂには、当該背壁２０ｂの下端から上側に向かって伸びる二本の半破断線２８ｂと当該二本の半破断線２８ｂの上端に接続された略半円状の切込線２８ａとで区切られた開封帯２８が形成されている（図４参照、図１〜３では見えず）。ここで、半破断線２８ｂとは、ユーザによる破断を補助するための線で、例えば、間欠的に切り込みを施すミシン目線や、シート材の肉厚よりも浅い溝線であるハーフカット線などが該当する。この開封帯２８は、物品が収容されて製品として構成された包装容器１０から、物品を取り出す際に切り離される部位である。ユーザは、この半破断線２８ｂに沿って開封帯２８を切り離すことにより、物品を包装容器１０から容易に取り出すことができる。
【００２８】
底フラップ２６は、組立状態において、筒部２０の下端開口の少なくとも一部を覆う部位で、前壁２０ｆの下端および背壁２０ｂの下端から延出した二つのフラップを互いに接合することにより形成されている。組立時には、この底フラップ２６は、前壁２０ｆおよび背壁２０ｂとの境界に形成された第三折り曲げ線Ｌ３に沿って、前壁２０ｆおよび背壁２０ｂに対して略９０度に折り曲げられる。
【００２９】
蓋フラップ２２は、組立状態において、筒部２０の上端開口の大部分を覆う部位である。この蓋フラップ２２は、背壁２０ｂの上端から延出しており、第四折り曲げ線によって背壁２０ｂと区分されている。組立時には、この蓋フラップ２２は、当該第四折り曲げ線Ｌ４に沿って、背壁２０ｂに対して略９０度に折り曲げられる。
【００３０】
蓋フラップ２２のうち、組立状態において、挟持部１６に近接する端部からは、差込部２４が延びている。この差込部２４は、組立状態において上向きになるように、折り曲げられ、挟持部１６を構成する二枚のシート片の間に差し込まれる。この差込部２４を設けることにより、包装容器１０の不正な開封を防止できるが、これについては、後に詳説する。
【００３１】
挟持部１６は、包装容器１０を立体化させた組立状態においても平坦なまま、本体部１２の上側に位置する部位である。この挟持部１６は、本体部１２の背壁２０ｂ上端に繋がったシート片からなる立壁３０と、切込線により本体部１２の前壁２０ｆと区分されるとともに立壁３０の前面側に位置するシート片からなる可動壁３２と、が接合されることなく重なっている。この挟持部の上端近傍に形成された丸孔３８は、店舗などに陳列するために当該包装容器１０をフックに引っ掛ける際などに利用される。
【００３２】
立壁３０は、その右端部がサイド部１４に、下端が本体部１２の背壁２０ｂの上端に連接されており、平坦なまま、殆ど変形しないようになっている。一方、可動壁３２は、右端部はサイド部１４に連接されているものの、その下端は、切込線により本体部１２から区分されている。換言すれば、可動壁３２は、サイド部１４との連接部分が固定端、サイド部１４とは反対側の端部が自由端となっており、立壁３０に対して比較的自由に可動できるようになっている。そのため、図２に示すように、可動壁３２は、手前側にめくる（湾曲させる）ことができるようになっている。
【００３３】
ここで、本実施形態では、既述した通り、また、図１に示すように、組立状態において、この挟持部１６を構成する立壁３０および可動壁３２の間に、上向きに折り曲げられた差込部２４を差し込んでいる。この差込部２４を差し込む際には、図２に示すように、まず、可動壁３２を手前側にめくる。また、最終的に上向きになるように、差込部２４を蓋フラップ２２に対して略９０度に折り曲げておき、その状態で、蓋フラップ２２を、筒部２０の上端開口を覆うように、折り曲げる。その後、可動壁３２のめくり上げを中断し、可動壁３２を立壁３０に沿った平坦状態に戻すことで、差込部２４が、可動壁３２と立壁３０との間に挟みこまれた状態となる。
【００３４】
このとき、可動壁３２は、蓋フラップ２２の真上に位置しており、当該蓋フラップ２２の上方向への移動を阻害する。その結果、包装容器１０の不正な開封を効果的に防止することができる。
【００３５】
すなわち、商品として店舗等に陳列された包装容器１０から物品を不正に取り出すためには、開封帯２８を切り離して包装容器１０を開封するか、蓋フラップ２２を開けて筒部２０の上端開口から物品を取り出す必要がある。前者の場合、開封帯２８の切り離しという付加逆的な変更が包装容器１０に加えられることになるため、不正な物品取り出しの有無を容易に確認することができる。したがって、万一、物品が不正に取り出されたとしても、それに気づくことなく商品が販売されることはない。
【００３６】
また、本体部１２の上端開口から物品を取り出す場合には、蓋フラップ２２を上に持ち上げ、筒部２０の上端開口を露出させる必要がある。しかし、本実施形態の場合、単に蓋フラップ２２を上方向に引っ張っても、当該蓋フラップ２２と可動壁３２の下端とが干渉するため、蓋フラップ２２の上方向への移動、ひいては、上端開口の露出が阻害される。その結果、物品の不正な取り出しが、効果的に防止される。
【００３７】
もちろん、可動壁３２を手前側にめくれば、蓋フラップ２２を容易に上方向に持ち上げることができる。しかし、従来、包装容器１０の多くは、蓋フラップ２２から延設された部分を、下方向に折り曲げて、筒部２０の内側に差し込んでおり、また、蓋フラップ２２の真上を横断する可動壁３２に相当する部材は設けられていなかった。換言すれば、蓋フラップ２２から延設された部分（差込部２４）を、上方向に折り曲げた本実施形態のような包装容器１０は、従来、無かった。そのため、組立状態の本包装容器１０を見ただけでは、蓋フラップ２２の持ち上げ方を簡単に見出すことができず、蓋フラップ２２を持ち上げるのに手間取ることが予想される。こうした開封に手間取る構成は、不正な開封を断念させやすくなり、結果として、不正開封、物品の不正取り出しを効果的に防止できる。また、差込部２４を、立壁３０と可動壁３２との間に挟みこむことで、蓋フラップ２２のばたつきを抑えることができ、製品としての美観を向上させることができる。
【００３８】
なお、差込部２４の前面側に位置する可動壁３２部分に、不透明インクで印刷を施せば、差込部２４の存在そのものに気付きづらくなり、ひいては、蓋フラップ２２の持ち上げ方をより分かりづらくすることができる。さらに、立壁３０にも不透明インクで印刷を施せば、包装容器１０を背面から見ても、差込部２４の存在に気付きづらくなるため、不正な開封、物品の不正取り出しをより効果的に防止できる。
【００３９】
次に、第二実施形態について図５〜図８を参照して説明する。図５、図６は第二実施形態である包装容器１０の上部斜視図、図７は下部斜視図、図８は展開図である。
【００４０】
この包装容器１０も、第一実施形態の包装容器１０と、基本的な構成は同じとなっている。すなわち、本体部１２、当該本体部１２の上側に位置する挟持部１６、本体部１２および挟持部１６の左側端部につながるサイド部１４を備えている。
【００４１】
ただし、第一実施形態と異なり、この包装容器１０は、略箱状の物品の収容に特に適した構成となっている。具体的には、本実施形態において、筒部２０は断面略矩形となっている。すなわち、筒部２０は、背壁２０ｂ、前壁２０ｆ、右側壁２０ｒ、左側壁２０ｌの四つの壁を有しており、それぞれの壁の境界部分には、折り曲げ線Ｌ１，Ｌ２，Ｌ６，Ｌ７が形成されている。そして、組立状態においては、シート材をこの折り曲げ線Ｌ１，Ｌ２，Ｌ６，Ｌ７に沿って折り曲げることにより、断面略矩形の筒部２０が構成される。なお、右側壁２０ｒとサイド部１４との境界には折り曲げ線Ｌ２が形成されており、組立状態においては、右側壁２０ｒがサイド部１４に対して略９０度になるように当該折り曲げ線に沿って折り曲げられる。一方で、背壁２０ｂは、折り曲げ線を介することなくサイド部１４に連接している。そのため、筒部２０の大部分がサイド部１４より前面側に突出したような形状となる。
【００４２】
また、第一実施形態と異なり、開封帯２８は、左側壁２０ｌに設けられている。ユーザは、この半破断線２８ｂに沿って開封帯２８を切り離すことにより、物品を包装容器１０から容易に取り出すことができる。なお、これまで説明した開封帯２８の形態は、一例であり、開封のために、本体部１２の一部を破断できるのであれば、その形態、形状、形成位置などは適宜、変更されてもよい。
【００４３】
筒部２０の上側には、第一実施形態と同様に、立壁３０および可動壁３２からなる挟持部１６が設けられている。立壁３０は、筒部２０上端およびサイド部１４の左端部に連接されており、組立状態においても平坦なままとなっている。可動壁３２は、サイド部１４の左端部に連接されるとともに、切込線により筒部２０と区分されている。その結果、可動壁３２は、サイド部１４との連接部分を固定端として立壁３０に対して可動になっており、図６に示すように、手前側にめくれるようになっている。
【００４４】
本体部１２には、筒部２０の上端開口を覆う蓋フラップ２２と、当該蓋フラップ２２から延出する差込部２４が設けられている。組立状態では、この差込部２４は、挟持部１６を構成する立壁３０と可動壁３２との間に挟みこまれる。その結果、蓋フラップ２２が容易に持ち上げることができなくなり、不正な開封が効果的に防止される。
【００４５】
なお、本実施形態では、筒部２０を断面略矩形の角筒形としている関係上、この蓋フラップ２２、差込部２４、および立壁３０の形状も、第一実施形態と若干異なっている。本実施形態において、蓋フラップ２２は、筒部２０の断面形状と同じ略矩形であり、差込部２４は、この略矩形の蓋フラップ２２の一辺から延びる略台形となっている。立壁３０の左側端部（すなわちサイド部１４とは反対側端部）は、差込部２４の形相当に切りかかれている。これは、図８をみれば分かるとおり、この差込部２４の切り欠き部分が、そのまま、差込部２４になっているからである。
【００４６】
また、図７に示すように、第一実施形態と異なり、本実施形態の、底フラップ２６は、右側壁２０ｒの下端から延出した一枚のフラップ２６から構成されている。この底フラップ２６は、物品１００の底部と係合する部位である。すなわち、本実施形態では、底部に隙間１１０が生じる箱状の物品を対象としている。より具体的には、本実施形態では、略角筒形の物品筒部１０２と、当該物品筒部１０２の下端開口を覆う物品底フラップ１０４と、物品底フラップ１０６の先端から延びて物品筒部１０２に差し込まれる物品差込部１０６と、を備えた物品１００を想定している。この物品１００の物品筒部１０２の下端と、物品底フラップ１０４との間には、隙間１１０が生じている。包装容器１０の底フラップ２６は、第三折り曲げ線Ｌ３に沿って折り曲げられたうえで、この隙間１１０に差し込まれ、物品１００の底部と係合するようになっている。
【００４７】
かかる構成とすることで、物品の不正な取り出しが、より効果的に防止される。すなわち、万一、不正な開封者が、包装容器１０の蓋フラップ２２を持ち上げ、筒部２０上端開口を露出させたとしても、物品を取り出すためには、筒部２０から物品を引き抜く必要がある。しかし、本実施形態において、物品は、底フラップ２６と係合しているため、筒部２０の上端開口から物品を引っ張ったとしても、物品を引き抜くことは困難である。また、こうした底フラップ２６を物品底部に係合する形態は、殆ど知られていない。そのため、不正な開封者が、本包装容器１０を一見しただけでは、物品と底フラップ２６が係合していることを理解できない。その結果、物品の引き抜きに時間がかかり、物品の不正な取り出しを断念させやすくなる。つまり、本実施形態によれば、従来の包装容器１０に比べ、タンパープルーフ機能を大幅に向上できる。なお、ここで、説明した底フラップ２６は、一例であり、当然、他の形態であってもよい。例えば、箱状物品の底部に係合する底フラップ２６を、右側壁２０ｒだけでなく、左側壁２０ｌからも延出させ、二つの底フラップ２６を有するようにしてもよい。また、底フラップ２６は、物品の底部と係合しない形態であってもよい。
【００４８】
なお、当然ながら、これで説明した構成は一例であり、挟持部１６を構成する立壁３０および可動壁３２に挟み込まれる差込部２４を有するのであれば、他の構成は、適宜、変更可能である。たとえば、筒部２０の形状や、底フラップ２６の形態などは適宜、異なるものにしてもよい。また、可動壁３２は、少なくとも、その下端周辺が可動であればよいため、他の部分、例えば、その上端などが立壁３０と接合されていてもよい。かかる構成とした場合、一度差し込んだ差込片の抜き取りがより困難になるため、不正な開封を寄り効果的に防止できる。また、本実施形態では、サイド部１４を設けているが、サイド部１４は無くてもよい。
【符号の説明】
【００４９】
１０  包装容器、１２  本体部、１４  サイド部、１６  挟持部、２０  筒部、２０ｂ  背壁、２０ｆ  前壁、２０ｌ  左側壁、２０ｒ  右側壁、２２  蓋フラップ、２４  差込部、２６  底フラップ、２８  開封帯、３０  立壁、３２  可動壁、１００  物品。
【図１】
0005507358.tif 000002
【図２】
0005507358.tif 000003
【図３】
0005507358.tif 000004
【図４】
0005507358.tif 000005
【図５】
0005507358.tif 000006
【図６】
0005507358.tif 000007
【図７】
0005507358.tif 000008
【図８】
0005507358.tif 000009